(57)【特許請求の範囲】
【請求項１】
ユーザ装置（ＵＥ）であって、
ｅＮＢ（進化型Ｎｏｄｅ  Ｂ）と通信するための無線送受信機と、
処理回路と、
を有し、
前記処理回路は、
前記ｅＮＢから受信されるＰＤＳＣＨ（Ｐｈｙｓｉｃａｌ  Ｄｏｗｎｌｉｎｋ  Ｓｈａｒｅｄ  Ｃｈａｎｎｅｌ）を復調し、
前記ｅＮＢから受信されるリファレンス信号に基づきチャネル品質インジケータ（ＣＱＩ）を計算し、
前記ｅＮＢから受信されるネットワーク支援干渉キャンセレーション（ＮＡＩＣＳ）シグナリングを利用して、ＰＤＳＣＨの復調中に干渉を推定することによって前記ＣＱＩを修正し、
前記ＰＤＳＣＨのリソース割当てを含むよう拡張されるＣＳＩリファレンスリソースの定義により前記修正されたＣＱＩを含むＣＳＩ（Ｃｈａｎｎｅｌ  Ｓｔａｔｅ  Ｉｎｆｏｒｍａｔｉｏｎ）レポートを前記ｅＮＢに送信するよう前記送受信機を設定するＵＥ。
【請求項２】
前記処理回路は、干渉信号のパラメータに関連する近傍セルからの上位レイヤシグナリング支援を利用し、最も受信した確率が高いパラメータを決定するために可能なパラメータをスキャンすることによって、前記ＰＤＳＣＨの割当てに存在するリファレンス信号から干渉有効チャネルを推定し、前記ＰＤＳＣＨ内の干渉信号パラメータを推定することによって、ＰＤＳＣＨの復調中に実行される干渉推定に基づき前記ＣＱＩを修正する、請求項１記載のＵＥ。
【請求項３】
前記処理回路は、前記ｅＮＢにより規定されるＣＳＩリファレンスリソースが前記ＰＤＳＣＨのリソース割当てと時間及び周波数において完全に重複する場合、前記修正されたＣＱＩを含むＣＳＩレポートを前記ｅＮＢに送信するよう前記送受信機を設定する、請求項１記載のＵＥ。
【請求項４】
前記処理回路は、前記ｅＮＢにより規定されるＣＳＩリファレンスリソースが前記ＰＤＳＣＨのリソース割当てと完全には重複しない場合、無修正のＣＳＩによるＣＳＩレポートを前記ｅＮＢに送信するよう前記送受信機を設定する、請求項３記載のＵＥ。
【請求項５】
前記ＣＳＩリファレンスリソースにスケジューリングされたＰＤＳＣＨがない場合、前記処理回路は、前記修正されたＣＱＩを含まないＣＳＩレポートを前記ｅＮＢに送信するよう前記送受信機を設定する、請求項１記載のＵＥ。
【請求項６】
前記処理回路は、前記ＰＤＳＣＨのリソース割当てに限定されるＣＳＩリファレンスリソースの定義により前記修正されたＣＱＩを含むＣＳＩレポートを前記ｅＮＢに送信するよう前記送受信機を設定する、請求項１記載のＵＥ。
【請求項７】
前記処理回路は、前記ＰＤＳＣＨのリソース割当てに拡張されたＣＳＩリファレンスリソースの定義により前記修正されたＣＱＩを含むＣＳＩレポートを前記ｅＮＢに送信するよう前記送受信機を設定し、前記ＣＳＩレポートは、ターゲットＢＬＥＲ（Ｂｌｏｃｋ  Ｅｒｒｏｒ  Ｒａｔｅ）を充足するため、前記ＵＥにおいて推定される最も高いＭＣＳと実際に割り当てられたＭＣＳとの間の差を示すデルタＭＣＳ（Ｍｏｄｕｌａｔｉｏｎ  ａｎｄ  Ｃｏｄｉｎｇ  Ｓｃｈｅｍｅ）として前記修正されたＣＱＩを含む、請求項１記載のＵＥ。
【請求項８】
ユーザ装置（ＵＥ）の動作方法であって、
ｅＮＢから受信されるＰＤＳＣＨ（Ｐｈｙｓｉｃａｌ  Ｄｏｗｎｌｉｎｋ  Ｓｈａｒｅｄ  Ｃｈａｎｎｅｌ）を復調し、
前記ｅＮＢから受信されるリファレンス信号に基づきチャネル品質インジケータ（ＣＱＩ）を計算し、
前記ｅＮＢから受信されるネットワーク支援干渉キャンセレーション（ＮＡＩＣＳ）シグナリングを利用して、ＰＤＳＣＨの復調中に干渉を推定することによって前記ＣＱＩを修正し、
前記ＰＤＳＣＨのリソース割当てを含むよう拡張されるＣＳＩリファレンスリソースの定義により前記修正されたＣＱＩを含むＣＳＩ（Ｃｈａｎｎｅｌ  Ｓｔａｔｅ  Ｉｎｆｏｒｍａｔｉｏｎ）レポートを前記ｅＮＢに送信する、
ことを含む方法。
【請求項９】
干渉信号のパラメータに関連する近傍セルからの上位レイヤシグナリング支援を利用し、最も受信した確率が高いパラメータを決定するために可能なパラメータをスキャンすることによって、前記ＰＤＳＣＨの割当てに存在するリファレンス信号から干渉有効チャネルを推定し、前記ＰＤＳＣＨ内の干渉信号パラメータを推定することによって、ＰＤＳＣＨの復調中に実行される干渉推定に基づき前記ＣＱＩを修正することを更に有する、請求項８記載の方法。
【請求項１０】
前記ｅＮＢにより規定されるＣＳＩリファレンスリソースが前記ＰＤＳＣＨのリソース割当てと時間及び周波数において完全に重複する場合、前記修正されたＣＱＩを含むＣＳＩレポートを前記ｅＮＢに送信することを更に有する、請求項８記載の方法。
【請求項１１】
前記ｅＮＢにより規定されるＣＳＩリファレンスリソースが前記ＰＤＳＣＨのリソース割当てと完全には重複しない場合、無修正のＣＳＩによるＣＳＩレポートを前記ｅＮＢに送信することを更に有する、請求項１０記載の方法。
【請求項１２】
前記ＣＳＩリファレンスリソースにスケジューリングされたＰＤＳＣＨがない場合、前記修正されたＣＱＩを含まないＣＳＩレポートを前記ｅＮＢに送信することを更に有する、請求項８記載の方法。
【請求項１３】
前記ＰＤＳＣＨのリソース割当てに限定されるＣＳＩリファレンスリソースの定義により前記修正されたＣＱＩを含むＣＳＩレポートを前記ｅＮＢに送信することを更に有する、請求項８記載の方法。
【請求項１４】
前記ＰＤＳＣＨのリソース割当てに拡張されたＣＳＩリファレンスリソースの定義により前記修正されたＣＱＩを含むＣＳＩレポートを前記ｅＮＢに送信することを更に有し、前記ＣＳＩレポートは、ターゲットＢＬＥＲ（Ｂｌｏｃｋ  Ｅｒｒｏｒ  Ｒａｔｅ）を充足するため、前記ＵＥにおいて推定される最も高いＭＣＳと実際に割り当てられたＭＣＳとの間の差を示すデルタＭＣＳ（Ｍｏｄｕｌａｔｉｏｎ  ａｎｄ  Ｃｏｄｉｎｇ  Ｓｃｈｅｍｅ）として前記修正されたＣＱＩを含む、請求項８記載の方法。
【請求項１５】
ユーザ装置（ＵＥ）のプロセッサに、
近傍セルからのネットワーク支援干渉キャンセレーション抑制（ＮＡＩＣＳ）の上位レイヤシグナリング支援を利用して、ｅＮＢから受信されるＰＤＳＣＨ（Ｐｈｙｓｉｃａｌ  Ｄｏｗｎｌｉｎｋ  Ｓｈａｒｅｄ  Ｃｈａｎｎｅｌ）の復調中に干渉を推定させ、
前記ｅＮＢから受信されるリファレンス信号に基づきチャネル品質インジケータ（ＣＱＩ）を計算させ、前記ＣＱＩは前記推定された干渉に従って修正され、
前記ＰＤＳＣＨのリソース割当てを含むよう拡張されるＣＳＩリファレンスリソースの定義により前記修正されたＣＱＩを含むＣＳＩ（Ｃｈａｎｎｅｌ  Ｓｔａｔｅ  Ｉｎｆｏｒｍａｔｉｏｎ）レポートを前記ｅＮＢに送信させるプログラム。
【請求項１６】
前記プロセッサに更に、最も受信した確率が高いパラメータを決定することによって可能なパラメータをスキャンすることによって前記ＰＤＳＣＨの割当てに存在するリファレンス信号から干渉有効チャネルを推定し、前記ＰＤＳＣＨ内の干渉信号パラメータを推定することによって、ＰＤＳＣＨの復調中に実行される干渉推定に基づき前記ＣＱＩを修正させる、請求項１５記載のプログラム。
【請求項１７】
請求項１５又は１６記載のプログラムを記憶するコンピュータ可読記憶媒体。
【発明の詳細な説明】
【技術分野】
【０００１】
本出願は、それぞれが参照することによってその全体がここに援用される、２０１４年１２月１７日に出願された米国特許出願第１４／５７３，１６４号に対する優先権の利益を主張し、２０１４年６月２３日に出願された米国仮特許出願第６２／０１５，９０３号に対する優先権の利益を主張する。
【０００２】
実施例は無線通信に関する。一部の実施例は、３ＧＰＰ  ＬＴＥ及びＬＴＥ−Ａ規格に従って動作するネットワークを含むセルラネットワークに関する。一部の実施例は、スモールセル配置に関する。一部の実施例は、５Ｇセルラネットワークに関する。
【背景技術】
【０００３】
ＬＴＥ（ロングタームエボリューション−アドバンスト、すなわち、ＬＴＥ−Ａを含むロングタームエボリューション）では、基地局（ＬＴＥの用語では進化型Ｎｏｄｅ  Ｂ、すなわち、ｅＮＢ）は、送信電力及び変調符号化方式（ＭＣＳ）などの端末（ＬＴＥの用語ではユーザ装置、すなわち、ＵＥ）にデータを送信するのに利用される送信パラメータが動的に調整されるチャネルに依存したスケジューリング及びリンクアダプテーションを実行する。このため、ＵＥは、ＣＳＩレポートの形式でチャネル状態情報（ＣＳＩ）をｅＮＢに提供する。ＵＥによるＣＳＩの正確な報告は、ダウンリンクの有効なリンクアダプテーションにとって不可欠である。本開示の主な関心は、ＣＳＩ報告がＮＡＩＣＳ（Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ）受信機を備えたＵＥによってどのように実行されるかである。
【図面の簡単な説明】
【０００４】
【図１】図１は、一部の実施例によるＬＴＥシステムにおけるコンポーネントの具体例を示す。
【図２】図２は、一部の実施例によるチャネル品質インジケータを導出するＮＡＩＣＳ能力を備えたＵＥが従う手順の具体例を示す。
【発明を実施するための形態】
【０００５】
以下の説明及び図面は、当業者が実施することを可能にするのに十分に特定の実施例を示す。他の実施例は、構造的、論理的、電気的処理及び他の変更を含むものであってもよい。一部の実施例の部分及び特徴は、他の実施例のものに含まれてもよいし、あるいは、置換されてもよい。請求項に与えられる実施例は、これらの請求項の全ての利用可能な均等を網羅する。
【０００６】
ＬＴＥネットワークのキャパシティを向上させるため、セル分割ゲイン及びＭＵ−ＭＩＭＯ（Ｍｕｌｔｉ−Ｕｓｅｒ  Ｍｕｌｔｉ−Ｉｎｐｕｔ  Ｍｕｌｔｉ−Ｏｕｔｐｕｔ）技術を実現するためのヘテロジーニアスネットワークが利用されてきた。双方のシナリオにおいて、セル間又は一緒にスケジューリングされたセル内ユーザの何れかからの同一チャネル干渉は、より高いネットワークキャパシティを実現する際の支配的な限定要因でありうる。従来のリリース１１のシステムでは、端末（ＬＴＥの用語ではユーザ装置又はＵＥとして参照される）における干渉は、送信側の基地局（すなわち、ＬＴＥの用語では進化型Ｎｏｄｅ  Ｂ又はｅＮＢ）における協調多地点技術（ＣｏＭＰ）を利用することによって軽減される。しかしながら、干渉の空間的性質を考慮することによるＵＥにおける干渉軽減がまたスペクトル効率のゲインを提供しうることが示された。具体例は、いわゆる、ＭＭＳＥ−ＩＲＣ（Ｍｉｎｉｍｕｍ  Ｍｅａｎ  Ｓｑｕａｒｅｄ  Ｅｒｒｏｒ  Ｉｎｔｅｒｆｅｒｅｎｃｅ  Ｒｅｊｅｃｔｉｏｎ）受信機である。
【０００７】
受信機側における干渉軽減のための更なるエンハンスメントは、より先進的な受信アルゴリズムを利用することによって実現されてもよく、干渉構造に関する更なる情報を利用してもよい。例えば、受信機は、最尤（ＭＬ）又はシンボルレベル干渉キャンセレーション（ＳＬＩＣ）技術を利用した先進的な干渉キャンセレーション及び抑制を実行するため、送信モード、干渉の有無及び変調符号化方式（ＭＣＳ）などの干渉パラメータを推定してもよい。このような受信機の処理を実行するため、干渉信号のパラメータ（例えば、近傍セルにおいて用いられる電力オフセットのサブセット、送信モードセット、リソース割当て及びプリコーディング粒度など）に関する上位レイヤのシグナリング支援が、ｅＮＢによってＵＥに提供されてもよい。このような受信機は、干渉認識（ＩＡ）受信機又は（ＮＡＩＣＳ）受信機として参照されてもよい。
【０００８】
動的なチャネルに依存したスケジューリング及びリンクアダプテーションのため、ＵＥは、ＣＳＩレポートの形式でチャネル状態情報（ＣＳＩ）をｅＮＢに提供する。ＮＡＩＣＳ受信機を備えたＵＥによるより正確なＣＳＩ報告を可能にするための手段が後述される。
【０００９】
図１は、ＵＥ１００とＵＥ１００のためのダウンリンク（ＤＬ）及びアップリンク（ＵＬ）リソース割当てを提供するサービングｅＮＢ２００とから構成されるＬＴＥネットワークのコンポーネントの具体例を示す。ＵＥ１００は、ＬＴＥインタフェースを提供するための無線周波数（ＲＦ）送受信機１０２に接続される処理回路１０１を有する。サービングｅＮＢ２００は、ＬＴＥインタフェースを提供するためＲＦ送受信機２０２に接続される処理回路２０１を有する。デバイスにおける各送受信機はアンテナ５０に接続される。各デバイスにおける処理回路は、ＲＦ送受信機を利用して、無線媒体と媒体へのアクセスを制御するための媒体アクセス制御（ＭＡＣ）レイヤとを介し信号を送受信する物理レイヤを実現してもよい。ＵＥの処理回路はＮＡＩＣＳ受信機を実現してもよい。ＵＥの処理回路は、ここに説明される処理を実行するようＵＥの各種要素を設定するよう構成されるメモリを有してもよい。
【００１０】
地理的に近傍のセルにサービス提供する近傍ｅＮＢ３００がまた図１に示される。サービングｅＮＢ２００及び近傍ｅＮＢ３００は、Ｘ２インタフェースを介し通信し、各自のダウンリンク送信を時間同期させてもよい。近傍ｅＮＢ３００のダウンリンク送信がサービングｅＮＢ２００のＵＥ１００へのダウンリンク送信と干渉しうる状況が図に示される。ＵＥ１００の処理回路１０１は、ＮＡＩＣＳ能力を備えて構成され、後述されるＮＡＩＣＳ能力を考慮してＣＳＩを導出するよう更に構成されてもよい。
【００１１】
ＬＴＥダウンリンク送信方式は、単一の広帯域周波数選択チャネルを複数の周波数フラットサブチャネルに変換する直交周波数分割多重接続（ＯＦＤＭＡ）に基づく。ＬＴＥは、特定のマルチアンテナ送信方式がデータ変調の出力からアンテナポートセットへのマッピングとして説明されうるダウンリンク送信のために複数のアンテナを利用する。アンテナマッピングへの入力は、送信時間間隔（ＴＴＩ）の１つ又は２つのトランスポートブロックに対応する変調シンボル（例えば、ＱＰＳＫ、１６ＱＡＭ、６４ＱＡＭ）から構成され、ここで、トランスポートブロックは、ＬＴＥ無線アクセスプロトコルスタックの媒体アクセス制御（ＭＡＣ）と物理レイヤとの間のトランスポートチャネルにデータがどのように編成されるかを参照する。アンテナマッピングの出力は、各アンテナポートのシンボルセットである。これらのシンボルは、ＯＦＤＭ変調器に以降に適用され、当該アンテナポートに対応するＯＦＤＭ時間周波数グリッドのリソースエレメント（ＲＥ）にマッピングされる。ＲＥは、何れのダウンリンクリソースがｅＮＢによってＵＥに割り当てられるかに関してリソースブロック（ＲＢ）に編成される。
【００１２】
ＬＴＥにおいて利用される異なるマルチアンテナ送信方式は、現在１０個定義される異なる送信モードに対応する。これらの送信モードは、ＴＭ１〜ＴＭ１０として示され、アンテナマッピングの特定の構成に関して、また何れのリファレンス信号が復調用に利用されると仮定され、ＣＳＩがどのようにＵＥにより取得され、ｅＮＢにフィードバックされるかに関して異なる。
【００１３】
ＵＥは、ダウンリンクリファレンス信号がダウンリンク時間周波数グリッド内の特定のリソースエレメントを占有する所定の信号である場合、ｅＮＢに送信するためのＣＳＩ情報を取得するため、ダウンリンクリファレンス信号（ＲＳ）を利用する。ＬＴＥ仕様は、それらが送信され、利用が意図される方法において異なる複数のタイプのダインリンクリファレンス信号を含む。ＬＴＥにおいて利用される１つのＲＳフレームワークはセルに固有のＲＳ（ＣＲＳ）に基づき、ここで、ＣＲＳシーケンスは、全送信帯域幅及びサブフレーム期間にわたって拡散されるサービングセルのセルＩＤにより決定されるリソースの全てのサブフレーム上で送信される。ＣＲＳは、ダウンリンク物理チャネルの復調と共にＣＳＩ推定及びフィードバックのために利用されることが意図される。リリース１０において導入された他のＲＳフレームワークは、ＣＳＩ推定及びフィードバックのための別のＣＳＩ−ＲＳと、復調のための復調ＲＳ（ＤＭ−ＲＳ）とを提供する。ＣＳＩ−ＲＳは、帯域幅全体において設定可能な周期により比較的低い密度で送信され、ＤＭ−ＲＳは、特定のＵＥに割り当てられたリソースブロック（ＲＢ）においてのみより高い密度により送信される。リリース１１は更に、ＣＳＩ−ＩＭ（ＣＳＩ−干渉管理）リソースと呼ばれる干渉のより良好な測定のためのＣＳＩ−ＲＳフレームワークにおけるツールを導入する。このようなＣＳＩ−ＩＭリソースは、ｅＮＢによってゼロパワーにより送信されるＣＳＩ−ＲＳを含むものであってもよい。
【００１４】
ＵＥは、ｅＮＢのリクエストで非定期的及び定期的に送信されうるＣＳＩレポートの形式によりそれのサービングｅＮＢにＣＳＩ情報を送信する。ＣＳＩレポートはチャネル品質インジケーションを含み、ここで、ＣＱＩは１０％のＢＬＥＲ（Ｂｌｏｃｋ  Ｅｒｒｏｒ  Ｒａｔｅ）によりＰＤＳＣＨ（Ｐｈｙｓｉｃａｌ  Ｄａｔａ  Ｓｈａｒｅｄ  Ｃｈａｎｎｅｌ）のトランスポートブロック送信を生じさせる最も高いＣＱＩインデックスになるようにＬＴＥ仕様によって定義される。ＴＳ３６．２１３のＳｅｃｔｉｏｎ７．２．３で述べられているように、
【００１５】
【表１】
0006392377.tif 000002
上記のＣＱＩの定義は、報告されたＣＱＩインデックスが、ＣＳＩリファレンスリソースに対する干渉をキャンセル及び抑制するためのＮＡＩＣＳ能力を含む、全てのＵＥ受信機の処理能力を含むべきであることを意味する。セル内干渉（ＳＵ−ＭＩＭＯ）について、ＮＡＩＣＳのためのＣＱＩ要求はＵＥによる干渉信号パラメータの知識により容易に実行可能であり、ＮＡＩＣＳ受信機によるセル間干渉のためのＣＱＩの正確な報告はより問題である。ＮＡＩＣＳ能力を備えたＵＥによるＣＳＩのより正確な報告を提供するため取られうる手段が後述される。
【００１６】
典型的なＵＥの実現形態では、ＣＱＩのためのセル間干渉は、ＣＳＩリファレンスリソースのサービングセルのＣＲＳ又はＣＳＩ−ＩＭ  ＲＥに対して測定される。原理的には、当該アプローチはＮＡＩＣＳ受信機について利用可能である。しかしながら、ＮＡＩＣＳ受信機のパラメータ推定のためのパラメータ推定信頼性要求はより厳格であり、ＰＲＢペア内の利用可能なＲＥの欠落は、ＮＡＩＣＳのためのセル間干渉信号パラメータ（例えば、変調オーダ、プリコーディングマトリクスインジケータ、送信電力）の信頼できる推定をより問題にしうる。例えば、ＴＭ１−９では、パラメータ推定のための利用可能なＲＥは、ＰＲＢペア毎に１２ＲＥに限定され、ＴＭ１０について、ＰＲＢペア毎に４ＲＥに限定される。可能性としては、干渉推定のためのＲＥの個数は増加しうるものであり、このようなエンハンスメント（追加的なオーバヘッドによる有意なパフォーマンスの損失なく）は、ＣＳＩ−ＩＭベースアプローチについて実現可能でないかもしれない。一実施例では、ＣＳＩ−ＩＭの利用はＴＭ１〜９に拡張され、１つのＣＳＩ−ＩＭリソース毎のより多数のＲＥ（例えば、８，１２，１６など）が利用される。ＮＡＩＣＳ処理について好ましい特定のＣＲＳコンフィギュレーション（例えば、サービング及び干渉セルの衝突したＣＲＳ）では、サービングセルのＣＲＳ  ＲＥに対して測定される干渉サンプルは、ＰＤＳＣＨ上で観察される実際の干渉状態を反映することが留意されるべきである。
【００１７】
他の実施例では、ＵＥは、それのＮＡＩＣＳ受信能力を利用して、ＣＱＩを計算するため干渉を測定する。ＮＡＩＣＳ受信機は、近傍ｅＮＢからの上位レイヤシグナリングを介し受信される信号のパラメータ、干渉有効チャネル、及びシンボルアルファベット、変調オーダ及び送信電力などの受信信号自体から検出される干渉信号に関連する信号パラメータを含みうる、それに利用可能な情報を利用することによってダウンリンク干渉を軽減する。ＰＤＳＣＨ復調の間、上位レイヤシグナリングを用いたＵＥは、ＣＲＳ（近傍セル上のＴＭ１〜６）及び／又はＤＭ−ＲＳ（近傍セル上のＴＭ７〜１０）などの近傍セルのリファレンス信号から干渉有効チャネルを推定してもよい。これらのリファレンス信号を復調することによって、ＵＥは、近傍セルにより送信される干渉信号に対応するチャネルを推定してもよい。推定のためＵＥによって利用されるべきリファレンス信号ＣＲＳ又はＤＭ−ＲＳは、ＰＤＳＣＨの復調中に決定されてもよい。例えば、各ＰＲＢペアについて、ＵＥはまず近傍セルのＤＭ−ＲＳの有無を検出し、ＤＭ−ＲＳが存在しない場合にＣＲＳを利用することを試みてもよい。干渉信号パラメータを推定するため、ＵＥは、ＰＤＳＣＨの復調中に以下の手順を実行してもよい。スケジューリングされたＰＤＳＣＨのＲＢ上で、ＵＥは、有用な信号（サービングセルの制御シグナリングからの既知のパラメータによる）と干渉信号（未知のパラメータによる）との混合を観察する。各ＲＢについて、ＵＥは、干渉セル信号において利用されうる可能なパラメータ（例えば、変調方式）をスキャンし、特定のメトリック（例えば、尤度関数）を最大化する最も可能性のあるものを検出することを試みる。ＲＢがスケジューリングされたＰＤＳＣＨリソース割当ての外部であるとき、ＵＥは干渉セルとサービングセルとの双方からの信号のパラメータを知らないため、推定は正確でないかもしれない。
【００１８】
一実施例では、ＵＥはまず、従来方式において送信されるリファレンス信号からＣＱＩを計算するため干渉を測定する。すなわち、干渉は、適切なリソースエレメントにおいて受信信号からリファレンス信号を差し引いた後の残余を計算することによって、リファレンス信号（例えば、送信モードに依存してＣＲＳ又はＣＳＩ−ＲＳ）に対するノイズとして測定される。ＵＥはまた、この最初の干渉測定の間はＴＭ１０により動作する場合、ＣＳＩ−ＩＭリソースを利用してもよい。その後、干渉測定（又は計算されたＣＱＩ）は、以前のパラグラフにおいて説明されるようなＰＤＳＣＨ復調中の干渉有効チャネルと干渉信号パラメータとを決定することによって、ＵＥのＮＡＩＣＳ受信能力に従って修正される。
【００１９】
他の実施例では、ＣＳＩリファレンスリソースの定義は、ＵＥのスケジューリングされたＰＤＳＣＨリソース割当て（例えば、Ｃ−ＲＮＴＩ、すなわち、セル無線ネットワーク一時的識別子に対応する）に拡張される。このようなＣＳＩリファレンスリソースのＣＳＩ報告（ＣＱＩを含む）は、このとき受信ＰＤＳＣＨ及びＮＡＩＣＳ受信能力から推定される干渉信号パラメータに従って計算される。ＣＳＩリファレンスリソース上にＰＤＳＣＨがスケジューリングされていない場合、ＵＥは、ＭＭＳＥ−ＩＲＣ受信能力（すなわち、ＵＥはＣＱＩ計算においてＮＡＩＣＳ受信機のための上位レイヤシグナリングの支援を利用することが期待されていない）に従うなど、修正されない方式でＣＱＩを報告してもよい。これは、干渉をキャンセル及び抑制するため、実際の干渉状態及び受信処理能力に従って受信機のＣＱＩレポートを実行する。
【００２０】
他の実施例では、ＮＡＩＣＳ受信機を備えたＵＥによるＣＱＩ計算のためのＣＳＩリファレンスリソースの定義は、スケジューリングされたＰＤＳＣＨにより占有されるリソース割当てのみに拡張される。このとき、ＰＤＳＣＨの復調中、ＮＡＩＣＳ受信機は、干渉信号のパラメータを推定し、ＰＤＳＣＨリソース割当てに関連するＣＳＩリファレンスリソースの１０％のターゲットＢＬＥＲを導きうる適切なＭＣＳを計算する。ＰＤＳＣＨリソースがＣＳＩリファレンスリソースについて利用可能でない場合、ＵＥにおけるＣＳＩ計算は従来のＣＳＩ−ＩＭ又はＣＲＳベース手順にフォールバックしてもよい。この場合、ＵＥは、ＮＡＩＣＳ処理を可能にするため提供される上位レイヤシグナリングを考慮することなく、従来のＭＭＳＥ−ＩＲＣ受信機を参照してＣＱＩを計算してもよい。すなわち、ＵＥは、ＣＳＩリファレンスリソースがスケジューリングされたＰＤＳＣＨと時間及び周波数において完全には重複しない場合、ＣＱＩ計算のためのＮＡＩＣＳ上位レイヤシグナリングを利用することを期待されないであろう。ＣＳＩリファレンスリソースは、ＣＳＩリファレンスリソースの時間周波数リソースがＰＤＳＣＨに割り当てられたリソースのサブセットである場合、ＰＤＳＣＨと完全にオーバラップする。
【００２１】
他の実施例では、ＣＳＩリファレンスリソースの定義は、スケジューリングされたＰＤＳＣＨのリソース割当てに限定される。この場合、ＵＥは、このようなＣＳＩリファレンスリソースのＣＳＩレポートを提供する。他の実施例では、ＣＳＩリファレンスリソースの定義は、スケジューリングされたＰＤＳＣＨのリソース割当てに拡張され、ＵＥはδＭＣＳレポートを提供する。δＭＣＳレポートは、ターゲットトランスポートブロックエラーレート（ＢＬＥＲ）が１０％を超過しないことを充足するため、ＵＥにおいて推定される最も高いＭＣＳと実際に割り当てられたＭＣＳとの間の差を示す。
【００２２】
図２は、定期的に又はサービングｅＮＢからのリクエストに応答して生成されるＣＳＩレポートに含めるためのＣＱＩを導出するＮＡＩＣＳ能力を備えたＵＥが従う手順の具体例を示す。ステージＳ１において、ＵＥは、ｅＮＢから受信されるリファレンス信号に基づきＣＱＩを導出する。ステージＳ２において、ＵＥは、ＰＤＳＣＨ割当てがＣＳＩリファレンスリソースに含まれるか判断する。含まれない場合、ＵＥは、ステージＳ３において、導出されたＣＱＩを含むＣＳＩレポートを送信する。含まれる場合、ＵＥは、ステージＳ４において、干渉信号のパラメータ及び／又は干渉チャネルに関連するＰＤＳＣＨ復調中に導出される情報によって導出されたＣＱＩを変更する。ステージＳ５において、変更されたＣＱＩを含むＣＳＩレポートがｅＮＢに送信される。
【００２３】
具体的な実施例
具体例１において、ユーザ装置（ＵＥ）の動作方法であって、ｅＮＢから受信されるＰＤＳＣＨ（Ｐｈｙｓｉｃａｌ  Ｄｏｗｎｌｉｎｋ  Ｓｈａｒｅｄ  Ｃｈａｎｎｅｌ）を復調するステップと、ｅＮＢから受信されるリファレンス信号に基づきチャネル品質インジケータ（ＣＱＩ）を計算するステップと、ｅＮＢから受信されるネットワーク支援干渉キャンセレーション（ＮＡＩＣＳ）シグナリングを利用して、ＰＤＳＣＨの復調中に干渉を推定することによってＣＱＩを修正するステップとを有する方法。
【００２４】
具体例２において、具体例１の主題は、任意的には、干渉信号のパラメータに関連する近傍セルからの上位レイヤシグナリング支援を利用し、最も受信した確率が高いパラメータを決定するために可能なパラメータをスキャンすることによって、ＰＤＳＣＨの割当てに存在するリファレンス信号から干渉有効チャネルを推定し、ＰＤＳＣＨ内の干渉信号パラメータを推定することによって、ＰＤＳＣＨの復調中に実行される干渉推定に基づきＣＱＩを修正するステップを有してもよい。
【００２５】
具体例３において、上記具体例の何れかの主題は、任意的には、修正されたＣＱＩを含むＣＳＩ（Ｃｈａｎｎｅｌ  Ｓｔａｔｅ  Ｉｎｆｏｒｍａｔｉｏｎ）レポートをｅＮＢに送信するステップを有してもよい。
【００２６】
具体例４において、上記具体例の何れかの主題は、任意的には、ｅＮＢにより規定されるＣＳＩリファレンスリソースがＰＤＳＣＨのリソース割当てと時間及び周波数において完全に重複する場合、修正されたＣＱＩを含むＣＳＩレポートをｅＮＢに送信するステップを有してもよい。
【００２７】
具体例５において、上記具体例の何れかの主題は、任意的には、ｅＮＢにより規定されるＣＳＩリファレンスリソースがＰＤＳＣＨのリソース割当てと完全には重複しない場合、修正されたＣＳＩを含まないＣＳＩレポートをｅＮＢに送信するステップを有してもよい。
【００２８】
具体例６において、上記具体例の何れかの主題は、任意的には、ＰＤＳＣＨのリソース割当てを含むよう拡張されるＣＳＩリファレンスリソースの定義により修正されたＣＱＩを含むＣＳＩレポートをｅＮＢに送信するステップを有してもよい。
【００２９】
具体例７において、上記具体例の何れかの主題は、任意的には、ＣＳＩリファレンスリソースにスケジューリングされたＰＤＳＣＨがない場合、無修正のＣＱＩによるＣＳＩレポートをｅＮＢに送信するステップを有してもよい。
【００３０】
具体例８において、上記具体例の何れかの主題は、任意的には、ＰＤＳＣＨのリソース割当てに限定されるＣＳＩリファレンスリソースの定義により修正されたＣＱＩを含むＣＳＩレポートをｅＮＢに送信するステップを有してもよい。
【００３１】
具体例９において、上記具体例の何れかの主題は、任意的には、ＰＤＳＣＨのリソース割当てに拡張されたＣＳＩリファレンスリソースの定義により修正されたＣＱＩを含むＣＳＩレポートをｅＮＢに送信するステップを有してもよく、ＣＳＩレポートは、１０％のターゲットＢＬＥＲ（Ｂｌｏｃｋ  Ｅｒｒｏｒ  Ｒａｔｅ）を充足するため、ＵＥにおいて推定される最も高いＭＣＳと実際に割り当てられたＭＣＳとの間の差を示すデルタＭＣＳ（Ｍｏｄｕｌａｔｉｏｎ  ａｎｄ  Ｃｏｄｉｎｇ  Ｓｃｈｅｍｅ）として修正されたＣＱＩを含む。
【００３２】
具体例１０において、ＵＥは、ｅＮＢ（進化型Ｎｏｄｅ  Ｂ）と通信するための無線送受信機と、具体例１〜９に記載された方法の何れかを実行する処理回路とを有する。
【００３３】
具体例１１において、非一時的なコンピュータ可読記憶媒体は、ＵＥに具体例１〜９に記載される方法の何れかを実行するよう設定するための処理を実行するためＵＥの１つ以上のプロセッサによる実行用の命令を含む。
【００３４】
上記の詳細な説明は、詳細な説明の一部を構成する添付図面の参照を含む。図面は、例示のため、実施可能な特定の実施例を示す。これらの実施例はまた、“具体例”としてここでは参照される。このような具体例は、図示又は説明されたものに加えて要素を含むものであってもよい。しかしながら、図示又は説明された要素を含む具体例がまた想定される。さらに、特定の具体例（又は１つ以上のそれの態様）に関して、又はここに図示又は説明される他の具体例（又は１つ以上のそれの態様）に関して、図示又は説明されるこれらの要素（又は１つ以上のそれの態様）の何れかの組み合わせ又は並び替えを利用した具体例が想定される。
【００３５】
本文書において参照される刊行物、特許及び特許文献は、あたかも参照することによって個別に援用されるように、参照することによってその全体がここに援用される。本文書と参照することにより援用される文献との間の整合しない利用の場合、援用されるリファレンスにおける利用は、本文書のものに補完的であり、相容れない不整合について、本文書における使用は制御する。
【００３６】
本文書において、“ある”という用語は、“少なくとも１つ”又は“１つ以上”の他の何れかの具体例又は利用から独立して、１つ以上を含むよう特許文献において通常通り利用される。本文書では、“又は”という用語は、特段の断りがない場合、“Ａ又はＢ”が“ＢではなくＡ”、“ＡではなくＢ”及び“Ａ及びＢ”を含むように、非排他的であることを意味するよう利用される。添付した請求項では、“含む”及び“ここで”という用語は、“有する”及び“ここで”という各用語の平易な英語の等価として利用される。また、以下の請求項では、“含む”及び“有する”という用語はオープンエンドであり、すなわち、請求項における当該用語の後に列記されるものに加えて要素を含むシステム、装置、物又は方法が、当該請求項の範囲内に依然として属するものとされる。さらに、以下の請求項において、“第１”、“第２”、“第３”などの用語は、単なるラベルとして利用され、それらの対象の数値の順序を示唆することは意図していない。
【００３７】
一部の実施例では、ＵＥは、パーソナルデジタルアシスタント（ＰＤＡ）、無線通信機能を備えたラップトップ若しくはポータブルコンピュータ、ウェブタブレット、無線電話、スマートフォン、無線ヘッドセット、ページャ、インスタントメッセージングデバイス、デジタルカメラ、アクセスポイント、テレビ、移動装置（例えば、心拍モニタ、血圧モニタなど）、ウェアラブルデバイス又は情報を無線送受信する他の装置など、ポータブル無線通信装置の一部であってもよい。一部の実施例では、モバイルデバイスは、キーボード、ディスプレイ、不揮発性メモリポート、複数のアンテナ、グラフィクスプロセッサ、アプリケーションプロセッサ、スピーカ及び他のモバイルデバイスの要素の１つ以上を含むものであってもよい。ディスプレイは、タッチ画面を含むＬＣＤ画面であってもよい。
【００３８】
アンテナは、例えば、ダイポールアンテナ、モノポールアンテナ、パッチアンテナ、ループアンテナ、マイクロストリップアンテナ又はＲＦ信号の送信に適した他のタイプのアンテナなどを含む１つ以上の指向性又は全方向性アンテナを有してもよい。一部の複数入力複数出力（ＭＩＭＯ）の実施例では、アンテナは、空間ダイバーシチ及び結果としての異なるチャネル特性を利用するため効果的に分離されてもよい。
【００３９】
ＵＥ又はｅＮＢの機能要素の１つ以上は組み合わされてもよく、デジタル信号プロセッサ（ＤＳＰ）及び／又は他のハードウェア要素を含む処理要素などのソフトウェアにより設定された要素の組み合わせによって実現されてもよい。例えば、一部の要素は、１つ以上のマイクロプロセッサ、ＤＳＰ、フィールドプログラマブルゲートアレイ（ＦＰＧＡ）、特定用途向け集積回路（ＡＳＩＣ）、無線周波数集積回路（ＲＦＩＣ）及びここに説明される機能を少なくとも実行する各種ハードウェア及び論理回路の組み合わせを有してもよい。一部の実施例では、機能要素は１つ以上の処理要素上で実行される１つ以上のプロセスを表すものであってもよい。
【００４０】
実施例は、ハードウェア、ファームウェア及びソフトウェアの１つ又は組み合わせにより実現されてもよい。実施例はまた、ここに説明される処理を実行するため少なくとも１つのプロセッサにより読み込まれて実行されるコンピュータ可読記憶媒体に記憶された命令として実現されてもよい。コンピュータ可読記憶媒体は、マシーン（例えば、コンピュータ）により可読な形態において情報を記憶するための何れかの非一時的な機構を含むものであってもよい。例えば、コンピュータ可読記憶媒体は、読み出し専用メモリ（ＲＯＭ）、ランダムアクセスメモリ（ＲＡＭ）、磁気ディスク記憶媒体、光記憶媒体、フラッシュメモリデバイス及び他の記憶装置及び媒体を含んでもよい。これらの実施例では、１つ以上のプロセッサは、ここに説明される処理を実行するための命令により設定されてもよい。
【００４１】
一部の実施例では、ＵＥ又はｅＮＢ（図１）は、直交周波数分割多重接続（ＯＦＤＭＡ）技術に従ってマルチキャリア通信チャネルを介し直交周波数分割多重（ＯＦＤＭ）された通信信号を送信及び／又は受信するよう構成されてもよい。ＯＦＤＭ信号は、複数の直交サブキャリアを有してもよい。一部の広帯域マルチキャリアの実施例では、ＵＥ及びｅＮＢは、本発明の範囲はこれに限定されないが、第三世代パートナーシッププロジェクト（３ＧＰＰ）のＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のロングタームエボリューション（ＬＴＥ）又はＬＴＥ通信ネットワークなど、セルラブロードバンドワイヤレスアクセス（ＢＷＡ）ネットワーク通信ネットワークの一部であってもよい。
【００４２】
他の一部の実施例では、ＵＥ又はｅＮＢは、本発明の範囲はこれに限定されないが、拡散スペクトル変調（例えば、ＤＳ−ＣＤＭＡ（Ｄｉｒｅｃｔ  Ｓｅｑｕｅｎｃｅ−Ｃｏｄｅ  Ｄｉｖｉｓｉｏｎ  Ｍｕｌｔｉｐｌｅ  Ａｃｃｅｓｓ）及び／又はＦＨ−ＣＤＭＡ（Ｆｒｅｑｕｅｎｃｙ  Ｈｏｐｐｉｎｇ−Ｃｏｄｅ  Ｄｉｖｉｓｉｏｎ  Ｍｕｌｔｉｐｌｅ  Ａｃｃｅｓｓ））、時分割多重（ＴＤＭ）変調及び／又は周波数分割多重（ＦＤＭ）変調などの１つ以上の他の変調技術を利用して送信された信号を受信するよう構成されてもよい。
【００４３】
上記説明は例示的であり、限定的であることを意図していない。例えば、上述した具体例（又は１つ以上のそれの態様）は、他と組み合わせて利用されてもよい。他の実施例が、上記説明を参照して当業者などによって利用されてもよい。要約は読者が、例えば、米国における３７Ｃ．Ｆ．Ｒ．§１．７２（ｂ）に従うため、技術的開示の性質を迅速に確認することを可能にするためのものである。それは、請求項の範囲又は意味を解釈又は限定するのに使用されないという理解により提出されている。また、上記の詳細な説明では、各種特徴は開示を簡略化するため一緒にグループ化されてもよい。しかしながら、請求項は、実施例が当該特徴の一部を対象とするとき、ここに開示された全ての特徴を提供しなくてもよい。さらに、実施例は、特定の具体例において開示されたものより少ない特徴を有してもよい。従って、以下の請求項は、それ自体を別々の実施例としてすることによって詳細な説明に援用される。ここに開示された実施例の範囲は、請求項が権利化される均等の全範囲と共に、添付した請求項を参照して決定されるべきである。
【図１】
0006392377.tif 000003
【図２】
0006392377.tif 000004